(57)【要約】      （修正有）【課題】レインコートを忘れないように常に携帯しやすく収納し、雨天時にはすぐ取り出せ着衣してリュックを背負い、降雨が終わると、再度簡単に収納できるリュックを提供する。【解決手段】リュック１の背面に底部縁を除いてチャック機能１２で全開放可能にフラップ１１を形成して背面収納部を形成し、該収納部を開放した時露出する内側背面にレインコートの少なくとも背面部２１の上部を縫い付け固定し、内側背面からはみ出す頭部フード２１を下方に、両側部２２及びそれに連接する両腕部をそれぞれ内方に、下方胴部２４を上方に折り畳み、上記収納部にコンパクトに収納して携帯可能とした。リュックは、突然雨が降って来て雨具を携帯していないために身体、カバンの中身がぬれてしまうことを防止する効果がある。また、小中学生が雨天に傘をさすことによりおこりうる危険性を避ける。【選択図】図１Ａ
0003156878.tif 000002
【実用新案登録請求の範囲】
【請求項１】
リュック１の背面に底部縁を除いてチャック等１２で全開放可能に垂れ下がりフラップ１１を形成して背面収納部１０を形成し、該収納部１０を開放した時露出する内側背面部１３にコート２の少なくとも背面部２０の上部２０ａを縫い付け３又は仮止めで固定し、背面部からはみ出す頭部フード２１を下方に、両側部２２及びそれに連接する両腕部２３、２３をそれぞれ左右内方に、下方胴部２４を上方に折り畳み、上記収納部１０にコンパクトに収納して携帯可能としたことを特徴とするコート背面収納バッグ。
【請求項２】
リュック背面に収納部を形成するフラップ１１を開放時に下方に垂れ下がるのを折り返してリュックの内側背面１３に仮止め可能とした請求項１記載のコート背面収納バッグ。
【請求項３】
コート２のフード２１とは別にリュックカバー２５を設け、コートの背面に露出するリュック１をカバー可能とした請求項１記載のコート背面収納バッグ。
【考案の詳細な説明】
【技術分野】
【０００１】
本考案は、レインコート等のコート類を背面にコンパクトに収納したリュックからなるコート背面収納バッグに関する。
【背景技術】
【０００２】
近年、肩掛けリュックが流行しており、リュック側面又は底部に携帯用雨具を収納できるようになっているが、リュックと一体となっていないので、忘れやすい。また、雨天に傘をさすことは、交通事故になりやすいので雨合羽等のレインコートを用いることが推奨される。そこで、従来、帽子付きケープを連接するリュックが提案されている（特許文献１）。
【先行技術文献】
【特許文献】
【０００３】
【特許文献１】登録実用新案第３０９６２９３号公報
【考案の開示】
【考案が解決しようとする課題】
【０００４】
しかしながら、この提案では帽子つきケープとカバンを連接させ一体を形成し、また使用しないときは、帽子つきケープをカバンの補助包へ収納し、使用時に只リュックから帽子つきケープを取り出し、頭にかぶせ腕を覆い、雨水は帽子の端を通って下へ流れるので身体には雨水はかからず、使用しやすく、雨によって身体、カバンの中身がぬれてしまうことを防止し、また小学生の雨天時に傘をさすことにより起こりうる危険も避けるとしているが、帽子つきケープでは一時しのぎであって、レインコートと同等の機能を果たすのは極めて困難である。そこで、充分に雨水を避けるためには体全体をカバーするレインコートを使用せざるを得ないが、レインコートを忘れないように常に携帯しやすく収納し、雨天時にはすぐ取り出せ着衣してリュックを背負い、降雨が終わると、再度簡単に収納するには工夫を必要とする。
【課題を解決するための手段】
【０００５】
そこで、本考案者は上記課題を解決するため、鋭意検討の結果、リュックの背面全域を開放式とし、開放した背面にレインコートの背面上部を縫い付け固定すると、リュック背面からはみ出したレインコート部分を上下左右から折畳み込めばリュック機能を阻害することなく、レインコートを収納でき、この収納部を開放すれば、折畳み込んだレインコートを開放することによりこれを着衣してもリュックの背負い機能を阻害しないことを見出した。すなわち、本考案はリュック１の背面に底部縁を除いてチャック等で１２で全開放可能に垂れ下がりフラップ１１を形成して背面収納部１０を形成し、該収納部を開放した時露出する内側背面１３にレインコート２の少なくとも背面部２０の上部２０ａを縫い付け３又は仮止めで固定し、背面部からはみ出す頭部フード２１を下方に、両側部２２及びそれに連接する両腕部２３、２３をそれぞれ左右内方に、下方胴部２４を上方に折り畳み、上記収納部１０にコンパクトに収納して携帯可能としたことにある。
【考案の効果】
【０００６】
本考案によれば、リュック１の背面に底部縁を除いてチャック機能１２で全開放可能に垂れ下がりフラップ１１を形成してリュックの背面全体を収納部１０とするので、ここに縫い付け又は仮止めしたレインコートのリュック背面からのはみ出し部を上下左右から折り畳んで収納でき、リュックの背負い機能を阻害せずコンパクトに収納できる。他方、開放したレインコートはリュックの背面部に縫い付けてあるので通常のレインコートと同様に着衣することに障害はなく、レインコートの背面部にリュックの背面部が縫い付け又は仮止めてあるのでリュックの背負い機能にも障害がない。
好ましくは、リュック背面に収納部を形成するフラップは開放時に下方に垂れ下がるので折り返してリュック背面に仮止めできるようにするのがよい。また、リュックはレインコートの背面に露出するので、レインコートのフードとは別にリュックカバーを設け、これをレインコートとともに収納部に収納させるのが好ましい。
【図面の簡単な説明】
【０００７】
【図１Ａ】本考案のレインコートバッグの通常状態(a)及び収納状態(b)を示す説明図である。
【図１Ｂ】本考案のレインコートバッグの開放状態(c)を示す説明図である。
【図２】本考案のレインコートバッグのレインコートを着衣し、リュックを背負った状態を示す斜視図である。
【考案を実施するための形態】
【０００８】
図面において、１は通常のリュックで、その背面は二重袋構造の収納部１０とする。すなわち、その底部縁１０aを除いて左側縁１０b、上部縁１０c及び右側縁１０ｄをチャック１２で全開放可能としたフラップ１１を形成してリュックの背面全体をフラップ１１と内側背面１３とで背面収納部1０を形成する（図１Ａ（ａ））。フラップ１１は縁部チャック１２を開放すると下方に垂れ下がり、内側背面１３が露出するが、そこには収納するレインコート２の背面部２０の上部２０ａが縫い付け３で固定してあり、リュック１に一体的に連結している。
【０００９】
フラップ１１を開放すると、内部にはレインコート２の内面背面部１３からはみ出す頭部フード２１を下方に、両側部２２及びそれに連接する両腕部２３、２３をそれぞれ左右内方に、下方胴部２４を上方に折り畳み、上記収納部１０にコンパクトに収納されている（図１Ａ（ｂ））。
【００１０】
開放時にフラップ１１が垂れ下がらないように、フラップ１１は折り曲げて、下方のマジック係止片１１ａを内側背面１３の下部に取り付けられたマジック係止片１３ａに係止めるのがよい（図１Ｂ（ｃ））。
【００１１】
この状態で、頭部フード２１を上方に、両側部２２及びそれに連接する両腕部２３、２３をそれぞれ左右外方に、下方胴部２４を下方に折り出すと、レインコート２が着衣可能な状態となる（図１Ｂ（ｃ））。
【００１２】
図２はレインコート２を着衣し、リュック１を肩掛けした状態を示す。この時、リュック１の雨濡れを防止するためにはリュックカバー２５をかけるようにするのが好ましい。
【００１３】
なお、実施例ではレインコート２を縫い付け３で固定したが、マジックテープ（登録商標）等で脱着可能に仮止めするようにしてもよく、フラップ１１はチャック１２で開閉できるようにしたがボタン止めであってもよい。
【００１４】
本考案によれば、レインコートとリュックの結合により一体を形成し、また使用しないときはカバンの中へ収納し、使用するとき雨水はレインコートを沿って流れ落ち、身体をぬらさない、使用方法もいたって簡単便利であり、雨水による身体、カバンの中身をぬらすことを防止し、同時に小中学生が雨天傘をさすことによりおこりうる危険性を避ける。
【符号の説明】
【００１５】
１  リュック
１０  収納部
１１  フラップ
１２  チャック
２  レインコート
２１  フード
２３  腕部
２４  胴部
【図１Ａ】
0003156878.tif 000003
【図１Ｂ】
0003156878.tif 000004
【図２】
0003156878.tif 000005